(57)【要約】  本開示の実施例は電流測定装置の較正のための方法、電流測定方法及び装置、表示装置を提供する。電流測定装置の較正のための方法は、複数の指定電流を前記電流測定装置へ入力し、前記複数の指定電流に対応する複数の時間パラメータを検出し、複数の指定電流及び対応する複数の時間パラメータに基づいて、電流と時間パラメータの関数関係を得る。本開示の実施例により、電流測定の精度が向上される。
2019527335.tif 000002
【特許請求の範囲】
【請求項１】
電流測定装置の較正のための方法であって、前記電流測定装置は、時間パラメータに基づいて電流を測定するものであり、前記時間パラメータは、電流が前記電流測定装置における電圧を所定値変化させるのに必要な時間であり、前記電流測定装置の較正のための方法において、
複数の指定電流を前記電流測定装置へ入力すること、
前記複数の指定電流に対応する複数の時間パラメータを検出すること、
複数の前記指定電流及び対応する複数の時間パラメータに基づいて、電流と時間パラメータの関数関係を得ることを含む、
電流測定装置の較正のための方法。
【請求項２】
前記関数関係は、線形関係である、
請求項１に記載の電流測定装置の較正のための方法。
【請求項３】
前記複数の指定電流は、２つの指定電流である、
請求項１に記載の電流測定装置の較正のための方法。
【請求項４】
前記複数の指定電流は、２つより多い指定電流である、
請求項１に記載の電流測定装置の較正のための方法。
【請求項５】
電流測定方法であって、
電流に対応する時間パラメータを検出すること、
電流に対応する時間パラメータ、及び電流と時間パラメータの関数関係に基づいて、電流を確定すること、を含み、
さらに、
請求項１に記載の電流測定装置の較正のための方法を利用して、前記電流と時間パラメータの関数関係に対して、較正を行うことを含む、
電流測定方法。
【請求項６】
前記電流と時間パラメータの関数関係に対して、周期的に較正を行う、
請求項５に記載の電流測定方法。
【請求項７】
前記関数関係は、線形関係である、
請求項５に記載の電流測定方法。
【請求項８】
オペアンプと積分容量を備え、前記オペアンプが、初期化電圧が入力されるように構成された正入力端と、電流が入力されるように構成された負入力端と、出力端とを有し、前記積分容量が、前記負入力端と前記出力端の間に接続される、電流測定装置であって、
さらに、前記電流に対応する時間パラメータを検出し、電流と時間パラメータの関数関係に基づいて、前記電流を確定するように構成された制御部を備え、
前記時間パラメータは、前記電流が前記出力端の電圧を所定値変化させるのに必要な時間である、
電流測定装置。
【請求項９】
さらに、前記負入力端と前記出力端の間に接続され、電流が入力される前に前記負入力端と前記出力端を直接接続して、前記正入力端と、負入力端と、出力端との電圧を設定するように構成されたスイッチ素子を備える、
請求項８に記載の電流測定装置。
【請求項１０】
さらに、複数の指定電流を前記負入力端へ供給するように構成された電流源を備え、
前記制御部が、さらに、複数の指定電流に対応する複数の時間パラメータを検出し、複数の指定電流及び対応する複数の時間パラメータに基づいて、電流と時間パラメータの関数関係を得るように構成される、
請求項７に記載の電流測定装置。
【請求項１１】
請求項８ないし１０のいずれか１項に記載の電流測定装置を備える表示装置。
【発明の詳細な説明】
【技術分野】
【０００１】
［関連出願］
本出願は、２０１６年７月１９日に提出の中国特許出願第２０１６１０５６７１９１.９号の優先権を主張し、上記した中国特許出願に開示されている全ての内容を引用して本出願の一部とする。
【０００２】
本開示の実施例は表示の技術に関し、特に、電流測定装置の較正のための方法、電流測定方法及び装置、表示装置に関する。
【背景技術】
【０００３】
表示の技術分野において、有機発光ダイオード（Ｏｒｇａｎｉｃ  Ｌｉｇｈｔ−Ｅｍｉｔｔｉｎｇ  Ｄｉｏｄｅ，ＯＬＥＤ）が幅広く応用されている。表示装置のアレイ基板において、駆動トランジスタは、データ電圧により駆動電流を発生させることによって、有機発光ダイオードが発光するように駆動して表示することができる。駆動トランジスタの閾値電圧は、データ電圧と駆動電流の対応関係に影響を与える。異なる駆動トランジスタの閾値電圧は相異する可能性があり、同一の駆動トランジスタの異なる時期における閾値電圧も相異する可能性があるため、同様なデータ電圧に対して必ず同様な駆動電流を得るとは言えなく、表示装置の発光が不均一になってしまう。
【０００４】
表示装置の発光を均一にするために、実際の駆動電流を検出し、実際の駆動電流が設定された駆動電流と相等になるようにデータ電圧を調整する必要がある。これは、実際の駆動電流に対して高精度の検出を行う必要がある。
【発明の概要】
【課題を解決するための手段】
【０００５】
本開示の実施例は、電流測定装置の較正のための方法、電流測定方法及び装置、表示装置を提供する。
【０００６】
第１発明により、本開示の実施例は電流測定装置の較正のための方法を提供する。電流測定装置は、電流が電流測定装置における電圧を所定値変化させるのに必要な時間である時間パラメータに基づいて、電流を測定する。当該方法において、複数の指定電流を電流測定装置へ入力すること、複数の指定電流に対応する複数の時間パラメータを検出すること、複数の指定電流及び対応する複数の時間パラメータに基づいて、電流と時間パラメータの関数関係を得ることを含む。
【０００７】
本開示の実施例において、関数関係は、線形関係である。
【０００８】
本開示の実施例において、複数の指定電流は、２つの指定電流である。
【０００９】
本開示の実施例において、複数の指定電流は、２つより多い指定電流である。
【００１０】
第２発明により、本開示の実施例は電流測定方法を提供し、前記電流測定方法において、電流に対応する時間パラメータを検出すること、電流に対応する時間パラメータ、及び電流と時間パラメータの関数関係に基づいて、電流を確定すること、を含む。電流測定方法は、さらに、上記した電流測定装置の較正の方法を利用して、電流と時間パラメータの関数関係に対して、較正を行うことを含む。
【００１１】
本開示の実施例において、電流と時間パラメータの関数関係に対して、周期的に較正を行う。
【００１２】
本開示の実施例において、関数関係は、線形関係である。
【００１３】
第３発明により、本開示の実施例は、オペアンプと積分容量を備え、前記オペアンプが、初期化電圧が入力されるように構成された正入力端と、電流が入力されるように構成された負入力端と、出力端とを有し、前記積分容量が、負入力端と出力端の間に接続される、電流測定装置であって、さらに、電流に対応する時間パラメータを検出し、電流と時間パラメータの関数関係に基づいて、電流を確定するように構成された制御部を備え、前記時間パラメータは、電流が出力端の電圧を所定値変化させるのに必要な時間である、電流測定装置を提供する。
【００１４】
本開示の実施例において、電流測定装置は、さらに、負入力端と出力端の間に接続されたスイッチ素子を備える。スイッチ素子は、電流が入力される前に、負入力端と出力端を直接接続して、正入力端と、負入力端と、出力端との電圧を設定するように構成される。
【００１５】
本開示の実施例において、電流測定装置は、さらに、複数の指定電流を負入力端へ供給するように構成された電流源を備え、制御部が、さらに、複数の指定電流に対応する複数の時間パラメータを検出し、複数の指定電流及び対応する複数の時間パラメータに基づいて、電流と時間パラメータの関数関係を得るように構成される。
【００１６】
第４発明により、本開示の実施例は、上記した電流測定装置を備える表示装置を提供する。
【００１７】
本開示の実施例による電流測定装置の較正のための方法、電流測定方法及び装置、表示装置によって、電流測定の精度が向上される。
【００１８】
以下、本開示の実施例の態様をより明確に説明するために、実施例の図面に対して簡単に説明する。以下で説明している図面は本開示のいくつかの実施例に係るものであり、本開示を制限するものではないことは明らかである。
【図面の簡単な説明】
【００１９】
【図１】本開示の実施例の電流測定原理の模式図である。
【図２】図１に示す電流と時間パラメータの関数関係の模式図である。
【図３】本開示の実施例による電流測定装置の較正のための方法のフロー図である。
【図４】本開示の実施例による電流測定方法のフロー図である。
【図５】本開示の実施例による電流測定装置の回路の一例の模式図である。
【図６】図５に示す回路測定装置に関する時間パラメータの模式図である。
【図７】異なる電流に対応する時間パラメータの模式図である。
【図８】図５に示す回路測定装置に関する電流と時間パラメータの関数関係の模式図である。
【図９】較正前後の、図５に示す回路測定装置に関する電流と時間パラメータの関数関係の模式図である。
【発明を実施するための形態】
【００２０】
以下、本開示の実施例の態様と利点をより明確するように、図面を参照しながら、本開示の実施例の態様を明確で完全に説明する。説明している実施例は本開示の実施例の一部であり、全ての実施例ではないことは明らかである。本開示の実施例の説明に基づいて、当業者の進歩的な努力を必要としない前提で得られる全ての他の実施例は、いずれも本開示の保護の範囲に属する。
【００２１】
図１は、本開示の実施例の電流測定原理の模式図である。図１に示すように、電流測定回路１を用いて、電流Ｉをそれに対応する時間パラメータＴＰに変換することによって、電流の測定を容易にすることができる。当該形態は、表示装置における駆動トランジスタの駆動電流の測定に良く適用することができる。
【００２２】
電流測定回路１は、電流を時間パラメータＴＰに変換可能な任意の回路であってもよい。時間パラメータは、電流が電流測定装置における電圧を所定値変化させるのに必要な時間であってもよい。例えば、電流測定回路１は容量（キャパシター）などのエネルギー貯蔵素子を含んでもよい。電流Ｉは容量に充電してもよく、時間パラメータは充電時間に対応してもよい。電流Ｉは容量から放電するものであってもよく、時間パラメータは放電時間に対応してもよい。時間パラメータＴＰは、上記した充電時間または放電時間の値を直接に採用してもよく、上記した充電時間または放電時間の値を変換して得られてもよい。
【００２３】
図２は、図１に示す電流と時間パラメータの関数関係の模式図である。図２に示すように、確定された電流測定回路１に対して、電流及び対応する時間パラメータＴＰは、例えば線形関係のような一対一に対応する関数関係を有してもよい。当該関数関係は理論計算により得られてもよく、較正によって得られてもよい。図面において正比例の関係を例に説明しているが、線形関係は反比例の関係であってもよい。
【００２４】
図３は、本開示の実施例による電流測定装置の較正のための方法のフロー図である。図３に示すように、電流測定装置の較正のための方法は、複数の指定電流を電流測定装置へ入力し、複数の指定電流に対応する複数の時間パラメータを検出し、複数の指定電流及び対応する複数の時間パラメータに基づいて、電流と時間パラメータの関数関係を得る。
【００２５】
本開示の実施例は、アレイ基板の電流測定装置の較正に用いられる。
【００２６】
本開示の実施例において、関数関係は、線形関係であってもよい。この場合、２つの係数だけで当該関係は表現される。２つの指定電流及び対応する２つの時間パラメータが知られていると、当該２つの係数を算出することができる。なお、２つより多い電流及び対応する２つより多い時間パラメータを使用してもよく、この場合、フィッティングなどの手法で線形関係を表現する２つの係数を得る。２つより多い電流を使用することで、精度を向上させることができる。
【００２７】
図４は、本開示の実施例による電流測定方法のフロー図である。図４に示すように、電流測定方法は、電流に対応する時間パラメータを確定し、電流に対応する時間パラメータ、及び電流と時間パラメータの関数関係に基づいて、電流を確定する。関数関係は、線形関係であってもよい。
【００２８】
電流測定方法は、さらに、上記した電流測定装置の較正のための方法を利用して、前記電流と時間パラメータの関数関係に対して、較正を行ってもよい。それに、当該較正が周期的に行われて、高い精度を維持してもよい。
【００２９】
本開示の実施例による電流測定装置の較正のための方法と電流測定方法によって、駆動トランジスタの駆動電流に対してより精確な測定を行うことができる。
【００３０】
以下、本開示の実施例による電流測定装置の較正のための方法、電流測定方法及び装置について、さらに、具体的な例示的な回路を用いて説明する。
【００３１】
図５は、本開示の実施例による電流測定装置の回路の一例の模式図である。図５に示すように、電流測定装置は、オペアンプＯＡと積分容量Ｃｏｐを備える。オペアンプＯＡは、正入力端と、負入力端と、出力端とを有する。積分容量Ｃｏｐは、負入力端と出力端の間に接続される。負入力端は電流Ｉが入力されるように構成される。正入力端は初期化電圧が入力されるように構成される。図５において、寄生容量Ｃｓを使ってアレイ基板の外部回路の影響を示す。
【００３２】
例示として、時間パラメータＣＴで、電流Ｉが出力端の電圧を所定値変化させるのに必要な時間を示す。時間パラメータＣＴは、積分容量Ｃｏｐの放電時間、即ち、電流Ｉを負入力端へ入力する時、出力端の電圧Ｖｏを所定値ΔＶ低下させるのに必要な時間である。
【００３３】
オペアンプＯＡ、積分容量Ｃｏｐは、電流Ｉを時間パラメータＣＴに変換させる。電流測定装置は、時間パラメータＣＴに基づいて電流Ｉを算出するための制御部を備えてもよい。具体的には、制御部が、電流に対応する時間パラメータを確定し、電流と時間パラメータの予め設定された関数関係に基づいて、電流を確定するように構成される。
【００３４】
なお、予め設定された関数関係に対して較正を行うために、電流測定装置は、複数の指定電流を負入力端へ供給するように構成された電流源を備えてもよい。制御部は、複数の指定電流に対応する複数の時間パラメータを確定し、複数の指定電流及び対応する複数の時間パラメータに基づいて、電流と時間パラメータの関数関係を得るように構成される。
【００３５】
図６は、図５に示す回路測定装置に関する時間パラメータの模式図である。図５に示す電流測定装置を用いると、以下の手順に従って時間パラメータを確定できる。まず、正入力端と、負入力端と、出力端との電圧を第１参照電圧Ｖｒ１にする。次に、電流Ｉを負入力端に入力するとともに、現時点を放電開始時点Ｔ０として記録する。その後、出力端の電圧Ｖｏを検出し、第２参照電圧Ｖｒ２（電圧差ΔＶ）まで低下すると、現時点を放電終了時点として記録する。最後に、放電終了時点と放電開始時点の差、即ち放電時間ＣＴを記録する。
【００３６】
電流測定装置は、負入力端と出力端の間に接続されるスイッチ素子を備えてもよい。スイッチ素子は、電流を入力する前に、負入力端と出力端を直接接続して、正入力端と、負入力端と、出力端との電圧を設定するように構成される。すると、正入力端と、負入力端と、出力端との電圧を第１参照電圧Ｖｒ１にすることは、スイッチ素子によって負入力端と出力端を直接接続するとともに、正入力端に第１参照電圧Ｖｒ１を印加することを含む。
【００３７】
本開示の実施例により、オペアンプＯＡを利用して積分容量Ｃｏｐの電圧設定及び放電を行うことで、電圧設定の速度を向上させるとともに、放電中の安定性を増加させることができ、電流測定の精度を向上させる。
【００３８】
図７は、異なる電流に対応する時間パラメータの模式図である。図７に示すように、第１電流Ｉ１と第２電流Ｉ２は、それぞれ第１放電時間ＣＴ１と第２放電時間ＣＴ２に対応する。
【００３９】
図８は、図５に示す回路測定装置に関する電流と時間パラメータの関数関係の模式図である。図８に示すように、第１電流Ｉ１と、第２電流Ｉ２と、第１放電時間ＣＴ１と、第２放電時間ＣＴ２に基づいて、電流Ｉと放電時間ＣＴの関数関係を得る。電流Ｉと放電時間ＣＴは反比例の線形関係にあり、逆に、電流Ｉの逆数と放電時間ＣＴは正比例の線形関係にある。図８における表示形態は電流の算出のプロセスをより良く示している。即ち、まず放電時間ＣＴを測定し、そして電流Ｉの逆数を算出し、最後に電流Ｉを算出する。
【００４０】
図９は、較正前後の、図５に示す回路測定装置に関する電流と時間パラメータの関数関係の模式図である。図９に示すように、理想的な関数関係は回路構成によって直接得ている。即ち、Ｉ＝Ｃｏｐ*ΔＶ／ＣＴ。外部回路の干渉、及び積分容量Ｃｏｐの製造過程における誤差を考慮できていないため、理想的な関数関係は較正により得られる実際の関数関係に比べて、差異が大きい。
【００４１】
較正により得られる実際の関数関係は、Ｉ＝Ｃ＿ｅｆｆ*ΔＶ／（ＣＴ-ＣＴ０）で表せる。ここで、曲線の傾きＣ＿ｅｆｆは等価容量であり、曲線切片ＣＴ０は放電時間較正係数である。較正により曲線の傾きＣ＿ｅｆｆと曲線切片ＣＴ０を得てから、電流を測定する時、任意の放電時間ＣＴにより、電流Ｉを直接算出することができる。
【００４２】
本開示の実施例による電流測定装置の較正のための方法、電流測定方法と電流測定装置によって、駆動トランジスタの駆動電流に対してより精確な測定を行うことができる。
【００４３】
本開示の実施例は、上記した電流測定装置を備える表示装置をさらに提供している。
【００４４】
上記した実施形態は、ただ本発明の原理を説明するために採用した例示的な実施形態であり、本開示がこれらに限定されているのではない。当業者にとって、本開示の要旨を逸脱しない範囲で、種々の変形や改善を行うことができ、これらの変形や改善も、本開示の範囲内に含まれる。
【符号の説明】
【００４５】
１  電流測定回路
ＯＡ  オペアンプ
Ｃｏｐ  積分容量
Ｃｓ  寄生容量
Ｉ  電流
Ｖｒ１  第１参照電圧
Ｖｒ２  第２参照電圧
Ｖｏ  出力端の電圧
ＴＰ  時間パラメータ
ＣＴ  時間パラメータ
【図１】
2019527335.tif 000003
【図２】
2019527335.tif 000004
【図３】
2019527335.tif 000005
【図４】
2019527335.tif 000006
【図５】
2019527335.tif 000007
【図６】
2019527335.tif 000008
【図７】
2019527335.tif 000009
【図８】
2019527335.tif 000010
【図９】
2019527335.tif 000011
【国際調査報告】
2019527335.tif 000012
2019527335.tif 000013
2019527335.tif 000014
2019527335.tif 000015
2019527335.tif 000016
2019527335.tif 000017